(57)【要約】【課題】  運転の安全性を阻害することなく、ユーザが文字スーパを確実に目視することができる「デジタル放送受信機」を提供すること。【解決手段】  車両に搭載され、デジタル放送を受信して表示部５に表示するデジタル放送受信機１であって、デジタル放送に含まれる文字スーパを記憶する記憶装置１９と、ユーザが文字スーパを安全に目視可能な状態でない場合であって、受信したデジタル放送に文字スーパが含まれている場合に、記憶装置１９に文字スーパを記録する処理を行う処理装置１８とを備えたこと。【選択図】      図１
2007110407.tif 000002
【特許請求の範囲】
【請求項１】
車両に搭載され、デジタル放送を受信して表示部に表示するデジタル放送受信機であって、
前記デジタル放送に含まれる文字スーパを記憶する記憶装置と、
ユーザが前記文字スーパを安全に目視可能な状態でない場合であって、受信した前記デジタル放送に前記文字スーパが含まれている場合に、前記記憶装置に前記文字スーパを記録する処理を行う処理装置と
を備えたことを特徴とするデジタル放送受信機。
【請求項２】
前記処理装置が、
前記記憶装置に前記文字スーパが記録された後に、前記ユーザが前記文字スーパを安全に目視可能な状態となった場合に、前記記憶装置に記録された前記文字スーパを読み出して前記表示部に表示する処理を行うように形成されていること
を特徴とする請求項１に記載のデジタル放送受信機。
【請求項３】
前記処理装置が、
前記記憶装置に前記文字スーパが記録されている旨を示すアイコンを、前記表示部に前記ユーザが選択可能な状態として表示する処理と、
前記ユーザが前記文字スーパを安全に目視可能な状態となった場合であって、前記アイコンが前記ユーザによって選択された場合に、前記記憶装置に記録された前記文字スーパのリストを、前記表示部に前記ユーザが選択可能な状態として表示する処理と、
前記表示部に表示された前記文字スーパのリストの中から前記ユーザによって選択された文字スーパを前記表示部に表示する処理と
を行うように形成されていることを特徴とする請求項１に記載のデジタル放送受信機。
【請求項４】
前記処理装置が、
前記車両の走行状態に関する情報を取得し、この取得した車両の走行状態に関する情報に基づいて、前記ユーザが前記文字スーパを安全に目視可能な状態であるか否かを判定するように形成されていること
を特徴とする請求項１乃至請求項３のいずれか１項に記載のデジタル放送受信機。
【請求項５】
前記処理装置が、
前記車両の走行状態に関する情報として、前記車両が停車中である旨の情報を取得した場合に、前記ユーザが前記文字スーパを安全に目視可能な状態であると判定するように形成されていること
を特徴とする請求項４に記載のデジタル放送受信機。
【請求項６】
前記車両の走行状態に関する情報が、車速パルスおよび／またはパーキングブレーキ信号を含むこと
を特徴とする請求項４または請求項５に記載のデジタル放送受信機。
【発明の詳細な説明】
【技術分野】
【０００１】
本発明は、デジタル放送受信機に係り、特に、ユーザが、デジタル放送に含まれる文字スーパを安全に目視するのに好適なデジタル放送受信機に関する。
【背景技術】
【０００２】
近年、デジタル伝送技術の飛躍的な進歩により、デジタル放送の普及が益々高まりつつある。国内では、以前から運用されていたＢＳデジタル放送やＣＳデジタル放送に加えて、地上波デジタル放送が一部の地域で運用されるようになった。
【０００３】
このようなデジタル放送においては、放送内容として、いわゆる文字スーパが取り扱われている（図４参照）。
【０００４】
文字スーパは、映像や音声等とは独立したＰＥＳ（Packetized Elementary Stream）として伝送されるため、映像や音声とは独立したストリームＩＤを有している。
【０００５】
このため、デジタル放送の中から、文字スーパを、単一のメディア（モノメディア）として抜き出して取得することが可能とされている。
【０００６】
従来、このような文字スーパを含むデジタル放送を受信するデジタル放送受信機では、受信したデジタル放送の中からストリームＩＤに基づいて文字スーパを抜き出して取得し、この取得した文字スーパを映像と合成するなどして表示部に表示するようになっていた。
【０００７】
具体的には、地上波デジタル放送においては、地上波デジタル放送の運用規定（ARIB TR-B14）によって、文字スーパのストリームＩＤが「0xBF」と決められている。したがって、ストリームＩＤを0xBFとしてフィルタリングを行うことで、文字スーパを抜き出して表示することが可能であった。
【０００８】
【特許文献１】特開２００１−３０９２６７号公報
【発明の開示】
【発明が解決しようとする課題】
【０００９】
ところで、従来のデジタル放送受信機では、ストリーム中に文字スーパが発生した場合、すなわち、受信されたデジタル放送の中に文字スーパが含まれている場合に、その文字スーパを表示部に表示し、ストリーム中に文字スーパが無くなると、文字スーパの表示を終了するようになっていた。
【００１０】
しかしながら、たとえ、受信されたデジタル放送の中に文字スーパが含まれている場合であっても、安全上の理由から、車両の走行中には画面を非表示状態としていた。この場合、運転者は、速報チャイム音などによって文字スーパがあることが分かっても、そのタイミングでは文字スーパを見ることができず、停車したときには既に文字スーパの表示が終了している場合があった。
【００１１】
一方、車両の走行中に画面が表示される場合であっても、車両の走行中に画面を注視することは危険である。
【００１２】
このように、従来は、ユーザが文字スーパを安全かつ確実に目視することができないといった問題が生じていた。
【００１３】
そこで、本発明は、このような問題点に鑑みなされたものであり、運転の安全性を阻害することなく、ユーザが文字スーパを確実に目視することができるデジタル放送受信機を提供することを目的とするものである。
【課題を解決するための手段】
【００１４】
前述した目的を達成するため、本発明に係るデジタル放送受信機は、デジタル放送に含まれる文字スーパを記憶する記憶装置と、ユーザが前記文字スーパを安全に目視可能な状態でない場合であって、受信した前記デジタル放送に前記文字スーパが含まれている場合に、前記記憶装置に前記文字スーパを記録する処理を行う処理装置とを備えたことを特徴としている。
【００１５】
そして、このように構成されたデジタル放送受信機によれば、ユーザが文字スーパを安全に目視可能な状態でない場合であっても、処理装置によって記憶装置に文字スーパを記録しておくことにより、ユーザが文字スーパを安全に目視可能な状態となった場合に、記憶装置に記録された文字スーパを表示部に表示することが可能となる。
【００１６】
また、本発明に係るデジタル放送受信機は、処理装置が、記憶装置に文字スーパが記録された後に、ユーザが前記文字スーパを安全に目視可能な状態となった場合に、前記記憶装置に記録された前記文字スーパを読み出して前記表示部に表示する処理を行うように形成されていることを特徴としている。
【００１７】
そして、このように構成されたデジタル放送受信機によれば、ユーザが文字スーパを安全に目視可能な状態となった場合に、処理装置により、記憶装置に記録された文字スーパを表示部に自動的に表示することが可能となる。
【００１８】
さらに、本発明に係るデジタル放送受信機は、処理装置が、記憶装置に文字スーパが記録されている旨を示すアイコンを、表示部にユーザが選択可能な状態として表示する処理と、前記ユーザが前記文字スーパを安全に目視可能な状態となった場合であって、前記アイコンが前記ユーザによって選択された場合に、前記記憶装置に記録された前記文字スーパのリストを、前記表示部に前記ユーザが選択可能な状態として表示する処理と、前記表示部に表示された前記文字スーパのリストの中から前記ユーザによって選択された文字スーパを前記表示部に表示する処理とを行うように形成されていることを特徴としている。
【００１９】
そして、このように構成されたデジタル放送受信機によれば、ユーザが文字スーパを安全に目視可能な状態となった場合に、処理装置により、記憶装置に記録された文字スーパの中からユーザによって選択された文字スーパを表示部に表示することが可能となる。
【００２０】
さらにまた、本発明に係るデジタル放送受信機は、処理装置が、車両の走行状態に関する情報を取得し、この取得した車両の走行状態に関する情報に基づいて、ユーザが文字スーパを安全に目視可能な状態であるか否かを判定するように形成されていることを特徴としている。
【００２１】
そして、このように構成されたデジタル放送受信機によれば、処理装置が、車両の走行状態に関する情報に基づいて、ユーザが文字スーパを安全に目視可能な状態であるか否かを適切に判定することが可能となる。
【００２２】
また、本発明に係るデジタル放送受信機は、処理装置が、車両の走行状態に関する情報として、前記車両が停車中である旨の情報を取得した場合に、前記ユーザが前記文字スーパを安全に目視可能な状態であると判定するように形成されていることを特徴としている。
【００２３】
そして、このように構成されたデジタル放送受信機によれば、処理装置が、車両が停車中である旨の情報に基づいて、ユーザが文字スーパを安全に目視可能な状態であると判定することが可能となる。
【００２４】
さらに、本発明に係るデジタル放送受信機は、車両の走行状態に関する情報が、車速パルスおよび／またはパーキングブレーキ信号を含むことを特徴としている。
【００２５】
そして、このように構成されたデジタル放送受信機によれば、処理装置が、車速パルスやパーキングブレーキ信号に基づいて、ユーザが文字スーパを安全に目視可能な状態であるか否かを簡便に判定することが可能となる。
【発明の効果】
【００２６】
本発明に係るデジタル放送受信機によれば、ユーザが文字スーパを安全に目視可能な状態でない場合であっても、処理装置によって記憶装置に文字スーパを記録しておくことにより、ユーザが文字スーパを安全に目視可能な状態となった場合に、記憶装置に記録された文字スーパを表示部に表示することができる結果、運転の安全性を阻害することなく、ユーザが文字スーパを確実に目視することができる。
【００２７】
また、本発明に係るデジタル放送受信機によれば、ユーザが文字スーパを安全に目視可能な状態となった場合に、処理装置により、記憶装置に記録された文字スーパを表示部に自動的に表示することができる結果、ユーザが、煩雑な操作を要することなく文字スーパを安全に目視することができる。
【００２８】
さらに、本発明に係るデジタル放送受信機によれば、ユーザが文字スーパを安全に目視可能な状態となった場合に、処理装置により、記憶装置に記録された文字スーパの中からユーザによって選択された文字スーパを表示部に表示することができる結果、ユーザが、所望の文字スーパを安全に目視することができる。
【００２９】
さらにまた、本発明に係るデジタル放送受信機によれば、処理装置が、車両の走行状態に関する情報に基づいて、ユーザが文字スーパを安全に目視可能な状態であるか否かを適切に判定することができる結果、ユーザが、文字スーパをより安全に目視することができる。
【００３０】
また、本発明に係るデジタル放送受信機によれば、処理装置が、車両が停車中である旨の情報に基づいて、ユーザが文字スーパを安全に目視可能な状態であると判定することができる結果、ユーザが、車両の走行中に目視することができなかった文字スーパを、車両が停車した後に目視することができる。
【００３１】
さらに、本発明に係るデジタル放送受信機によれば、処理装置が、車速パルスやパーキングブレーキ信号に基づいて、ユーザが文字スーパを安全に目視可能な状態であるか否かを簡便に判定することができる結果、車両に備えられた一般的な機構を活用することができ、コストを削減することができる。
【発明を実施するための最良の形態】
【００３２】
以下、本発明に係るデジタル放送受信機の実施形態について、図１乃至図３を参照して説明する。
【００３３】
本実施形態におけるデジタル放送受信機は、車両に搭載されたデジタル放送受信機とされている。
【００３４】
図１に示すように、本実施形態におけるデジタル放送受信機１は、大別して、メインユニット２と、このメインユニット２の入力側に接続されたアンテナ３と、メインユニット２の出力側に接続された表示部としてのディスプレイ５およびスピーカ６とによって構成されている。
【００３５】
アンテナ３は、放送局から送信されたデジタル放送波（ＲＦ：Radio Frequency）を受信し、受信したデジタル放送波をメインユニット２に対して出力するようになっている。
【００３６】
メインユニット２について詳述すると、このメインユニット２は、Ｆ／Ｅ（フロントエンド）部７を有しており、このＦ／Ｅ部７には、アンテナ３から出力されたデジタル放送波が入力されるようになっている。
【００３７】
そして、Ｆ／Ｅ部７は、アンテナ３側から入力されたデジタル放送波を復調してMPEG2-TS(Transport Stream)を取り出し、取り出したMPEG2-TSを出力するようになっている。
【００３８】
Ｆ／Ｅ部７の出力側には、パケットフィルタリング機構を有するTS Demux部８が接続されており、このTS Demux部８には、Ｆ／Ｅ部７から出力されたMPEG2-TSが入力されるようになっている。
【００３９】
そして、TS Demux部８は、Ｆ／Ｅ部７側から入力されたMPEG2-TSを、パケットフィルタリング機構によって、オーディオデータ、ＢＭＬ(Broadcast Markup Languade)データ、ビデオデータ、字幕データおよび文字スーパデータのモノメディア単位のデータごとに分解し、分解した各データを出力するようになっている。
【００４０】
TS Demux部８の出力側には、オーディオデコーダ１０が接続されており、このオーディオデコーダ１０には、TS Demux部８から出力されたオーディオデータが入力されるようになっている。
【００４１】
そして、オーディオデコーダ１０は、TS Demux部８側から入力されたオーディオデータをデコードしてスピーカ６に出力するようになっている。これにより、スピーカ６を介してデジタル放送における音声が再生されることになる。
【００４２】
また、TS Demux部８の出力側には、ＢＭＬブラウザ１１が接続されており、このＢＭＬブラウザ１１には、TS Demux部８から出力されたＢＭＬデータが入力されるようになっている。
【００４３】
そして、ＢＭＬブラウザ１１は、TS Demux部８側から入力されたＢＭＬデータに対してデコード等の表示に必要な処理を施して出力するようになっている。
【００４４】
さらに、TS Demux部８の出力側には、ビデオデコーダ１２が接続されており、このビデオデコーダ１２には、TS Demux部８側から出力されたビデオデータが入力されるようになっている。
【００４５】
そして、ビデオデコーダ１２は、TS Demux部８側から入力されたビデオデータをデコードして出力するようになっている。
【００４６】
さらにまた、TS Demux部８の出力側には、字幕デコーダ１３が接続されており、この字幕デコーダ１３には、TS Demux部８から出力された字幕データが入力されるようになっている。
【００４７】
そして、字幕デコーダ１３は、TS Demux部８側から入力された字幕データをデコードして出力するようになっている。
【００４８】
また、TS Demux部８の出力側には、文字スーパデコーダ１４が接続されており、この文字スーパデコーダ１４には、TS Demux部８から出力された文字スーパデータが入力されるようになっている。
【００４９】
そして、文字スーパデコーダ１４は、TS Demux部８側から入力された文字スーパデータをデコードして出力するようになっている。
【００５０】
ＢＭＬブラウザ１１、ビデオデコーダ１２、字幕デコーダ１３および文字スーパデコーダ１４の出力側には、加算器１６が接続されている。
【００５１】
加算器１６には、ＢＭＬブラウザ１１から出力されたＢＭＬデータ、ビデオデコーダ１２から出力されたビデオデータ、字幕デコーダ１３から出力された字幕データおよび文字スーパデコーダ１４から出力された文字スーパデータがそれぞれ入力されるようになっている。
【００５２】
そして、加算器１６は、ＢＭＬブラウザ１１、ビデオデコーダ１２、字幕デコーダ１３および文字スーパデコーダ１４側から入力された各データを加算してディスプレイ５に出力するようになっている。これにより、ディスプレイ５の表示画面上に、デジタル放送におけるＢＭＬコンテンツ、映像、字幕および文字スーパが適宜表示されることになる。
【００５３】
加算器１６の入力側には、ＯＳＤ（On Screen Display）部１７が接続されており、このＯＳＤ部１７は、メニュー画面やバナー（例えば、チャンネル番号や放送局名）などのデジタル放送受信機１のアプリケーションに基づいた画像を作成して加算器に入力するようになっている。
【００５４】
したがって、ディスプレイ５の表示画面には、デジタル放送の映像の他にも、ＯＳＤ部１７によって作成された画像が適宜表示されることになる。
【００５５】
以上の構成は、従来から採用されていた一般的な構成であるが、このような構成に加えて、さらに、本実施形態におけるデジタル放送受信機１には、ユーザとしての運転者が文字スーパを安全かつ確実に目視するための手段が講じられている。
【００５６】
すなわち、TS Demux部８の出力側には、処理装置としてのＣＰＵ１８が接続されており、このＣＰＵ１８には、デジタル放送に含まれる文字スーパすなわち文字スーパデータを記憶する記憶装置１９が接続されている。
【００５７】
ＣＰＵ１８は、運転者が文字スーパを安全に目視可能な状態でない場合であって、受信したデジタル放送に文字スーパが含まれている場合（すなわち、TS Demux部８から文字スーパデータが出力された場合）に、TS Demux部８から出力された文字スーパデータを、記憶装置１９に自動的に記録する処理を行うようになっている。
【００５８】
したがって、運転者が文字スーパを安全に目視可能な状態でない場合であっても、ＣＰＵ１８によって記憶装置１９に文字スーパデータを記録しておくことにより、運転者が文字スーパを安全に目視可能な状態となった場合に、記憶装置１９に記録された文字スーパデータをディスプレイ５の表示画面上に表示することが可能となる。
【００５９】
上記構成に加えて、さらに、本実施形態において、ＣＰＵ１８には、車両側から車両の走行状態に関する情報（以下、走行情報と称する）が入力されるようになっている。
【００６０】
そして、ＣＰＵ１８は、車両側から入力されて取得した走行情報に基づいて、運転者が文字スーパを安全に目視可能な状態であるか否かを適切に判定するようになっている。
【００６１】
したがって、このＣＰＵ１８による走行情報に基づいた判定に応じて、TS Demux部８から出力された文字スーパデータを記憶装置１９に記録するか否かが決定されることになる。
【００６２】
より具体的には、ＣＰＵ１８は、走行情報が、車両が停車中である旨の情報である場合には、運転者が文字スーパを安全に目視可能な状態であると判定するようになっている。
【００６３】
したがって、車両が停車中の場合には、記憶装置１９への文字スーパデータの記録は行われないことになる。これにより、運転者が車両の走行中に目視することができない文字スーパデータのみが記憶装置１９に記録されることになるので、記憶装置１９のメモリ容量を抑えることができる。
【００６４】
なお、走行情報は、車速パルスおよび／またはパーキングブレーキ信号を含むものであってもよい。この場合には、ＣＰＵ１８が、車速パルスやパーキングブレーキ信号に基づいて、運転者が文字スーパを安全に目視可能な状態であるか否か、すなわち、車両が停車中であるか否かを簡便に判定することができる。
【００６５】
上記構成に加えて、さらに、本実施形態において、ＣＰＵ１８は、記憶装置１９に文字スーパデータを記録した後に、この記憶装置１９に記録された文字スーパデータをディスプレイ５の表示画面上に表示するために必要な処理を行うようになっている。
【００６６】
この処理の具体例としては、次の第１および第２の具体例を挙げることができる。
【００６７】
（第１の具体例）
まず、第１の具体例において、ＣＰＵ１８は、記憶装置１９に文字スーパデータが記録された後においても、走行情報に基づいて、車両が停車中であるか否かの判定を継続して行う。
【００６８】
そして、ＣＰＵ１８は、車両が停車中であると判定した場合には、記憶装置１９に記録された文字スーパデータを読み出し、この読出した文字スーパデータを、文字スーパデコーダ１４および加算器１６を経てディスプレイ５に出力する。
【００６９】
この第１の具体例によれば、車両が停車中となり、運転者が文字スーパを安全に目視可能な状態となった後に、記憶装置１９に記録された文字スーパデータを、運転者による煩雑な操作を要さずに、ディスプレイ５の表示画面に自動的に表示することが可能となる。
【００７０】
（第２の具体例）
次に、第２の具体例において、ＣＰＵ１８は、第１の具体例の場合と同様に、記憶装置１９に文字スーパデータが記録された後においても、走行情報に基づいて、車両が停車中であるか否かの判定を継続して行う。
【００７１】
また、ＣＰＵ１８は、記憶装置１９に文字スーパデータが記録された場合に、図２に示すように、ディスプレイ５の表示画面上に、記憶装置１９に文字スーパデータが記録されている旨を示すアイコン２０を表示する処理を行う。
【００７２】
このアイコン２０は、タッチパネルのタッチ操作や、リモコンまたはリニアエンコーダ等を用いた入力操作によって運転者が選択可能な状態として表示する。
【００７３】
なお、ＣＰＵ１８は、車両が停車中であると判定した後にアイコン２０を表示してもよい。また、ＣＰＵ１８は、アイコン２０を表示するための描画データをＯＳＤ部１７に作成させることによって、ＯＳＤ部１７の機能を利用してアイコン２０を表示するようにしてもよい。
【００７４】
次いで、ＣＰＵ１８は、車両が停車中であると判定した場合であって、アイコン２０が運転者によって選択された場合に、図３に示すように、記憶装置１９に記録されている文字スーパデータのリスト２１をディスプレイ５の表示画面上に表示する処理を行う。
【００７５】
このリスト２１は、アイコン２０の場合と同様に、運転者が選択可能な状態として表示する。
【００７６】
なお、ＣＰＵ１８は、リスト２１を表示するための描画データをＯＳＤ部１７に作成させることによって、ＯＳＤ部１７の機能を利用してリスト２１を表示するようにしてもよい。
【００７７】
また、リスト２１は、記憶装置１９に記録された各文字スーパデータにそれぞれ対応する文字スーパを、表示画面上に部分的に表示するものであってもよい。例えば、図３のリスト２１は、文字スーパの最初の数文字を表示したものとなっている。
【００７８】
そして、ＣＰＵ１８は、ディスプレイ５の表示画面上に表示されたリスト２１の中から運転者によって特定の文字スーパデータが選択された場合に、当該選択された文字スーパデータを記憶装置１９から読み出し、この読出した文字スーパデータを文字スーパデコーダ１４および加算器１６を経てディスプレイ５に出力する。
【００７９】
この第２の具体例によれば、車両が停車中となり、運転者が文字スーパを安全に目視可能な状態となった後に、記憶装置１９に記憶された文字スーパ（文字スーパデータ）の中から運転者が目視を希望する文字スーパのみをディスプレイ５の表示画面上に表示することができる。
【００８０】
次に、本実施形態の主要な作用について説明する。
【００８１】
本実施形態においては、まず、ＣＰＵ１８により、車両側から入力される走行情報に基づいて、車両が停車中であるか否かの判定を開始する。
【００８２】
次いで、アンテナ３からデジタル放送波が受信されると、このデジタル放送波は、Ｆ／Ｅ部７によってMPEG2-TSに復調された後にTS Demux部８に入力される。
【００８３】
次いで、TS Demux部８に入力されたMPEG2-TSは、TS Demux部８のパケットフィルタリング機構によってモノメディア単位のデータごとに分解されて出力される。
【００８４】
このとき、ＣＰＵ１８は、車両が停車中でない（走行中である）と判定した場合であって、TS Demux部８から文字スーパデータが出力された場合に、TS Demux部８から出力された文字スーパデータを記憶装置１９に自動的に記録する。
【００８５】
そして、ＣＰＵ１８は、記憶装置１９に文字スーパデータを記録した後に、車両が停車中となった場合には、前述した第１および第２の具体例のように、記憶装置１９に記録された文字スーパデータを記憶装置１９から読出してディスプレイ５の表示画面に表示する。
【００８６】
以上述べたように、本実施形態におけるデジタル放送受信機１によれば、車両が走行中の場合であっても、ＣＰＵ１８によって記憶装置１９に文字スーパデータを記録しておくことができるため、車両が停車中となった後に、記憶装置１９に記録された文字スーパデータをディスプレイ５の表示画面上に表示することが可能となる。
【００８７】
この結果、運転の安全性を阻害することなく、運転者が文字スーパを確実に目視することができる。
【００８８】
なお、本発明は、前述した実施の形態に限定されるものではなく、必要に応じて種々の変更が可能である。
【図面の簡単な説明】
【００８９】
【図１】本発明に係るデジタル放送受信機の実施形態を示すブロック図
【図２】本発明に係るデジタル放送受信機の実施形態において、記憶装置に文字スーパデータが記録されている旨を示すアイコンの一例を示す図
【図３】本発明に係るデジタル放送受信機の実施形態において、記憶装置に記録されている文字スーパデータのリストの一例を示す図
【図４】文字スーパの表示例を示す説明図
【符号の説明】
【００９０】
１  デジタル放送受信機
５  ディスプレイ
１８  ＣＰＵ
１９  記憶装置
２０  アイコン
２１  リスト
【図１】
2007110407.tif 000003
【図２】
2007110407.tif 000004
【図３】
2007110407.tif 000005
【図４】
2007110407.tif 000006